(57)【要約】【課題】板状展示物等を見やすく複数展示する汎用の展示ラックを提供する。【解決手段】展示物展示用ラック１は、上方支持部３ｃが下方支持部４よりも後方に位置する上下支持部を有する自立型架台２と、架台２の前記支持部に支持される支持枠１０と、上下１対の矩形枠体１６，１６を回動可能に連結し且つ枠体１６，１６が前記連結部を中心に前方に回動可能に支持枠１０に支持された可動枠１６とを有し、支持枠１０と可動枠１５の少なくとも１組以上を左右並列配置にして架台１０に支持する一方、可動枠１５の各枠体１６には、展示物支持用の支持部材装着穴１９を複数設け、且つ、各枠体１６には、連結側端部から上下に離隔した背後側に支持枠１０に対する傾斜角度を調整し固定する傾斜角度調整手段をそれぞれ個別に設けて構成する。支持枠１０を支持する下方支持部４は前後移動可能にし、架台２にはキャスター７を設ける等の機能を付加するとよい。【選択図】        図１
2004302149.tif 000002
【特許請求の範囲】
【請求項１】
上下に支持部を有し且つ前記上方支持部が下方支持部よりも後方に位置するように形成された自立型の架台と、該架台の前記上下支持部に支持される支持枠と、ほぼ矩形の上下１対の枠体を回動可能に互いの一辺を連結するとともに該各枠体が前記連結部を中心に前方に回動可能に前記支持枠に支持されてなる可動枠とを有し、前記支持枠と可動枠の少なくとも１組以上を左右並列配置にして前記架台に支持する一方、前記可動枠の各枠体には、展示物支持部材の装着部を複数設け、且つ、前記連結側の端部から各枠体に沿って上下に離隔した各々の背後側に、枠体の傾斜角度を調整して揺動を係止する傾斜角度調整手段をそれぞれ個別に設けて構成した展示物展示用ラック。
【請求項２】
前記自立式の架台の前記上下支持部のうち下方支持部が、前記架台に一体の前後方向部材に沿って前後動可能に支持され、該下方支持部の上方支持部との相対的な前後間の距離を変更可能に構成してなる、請求項１に記載の展示物展示用ラック。
【請求項３】
前記可動枠の各枠体の傾斜角度調整手段が、前記各枠体に枠体前面と直交する後方に向け傾斜角度調整板を突設するとともに、前記支持枠の側面が前記傾斜角度調整板の側面に近接する関係に設定し、前記傾斜角度調整板には、前記枠体連結軸を中心とする円に沿って両端が閉じた円弧状スリットと、該スリットの円弧と同心の円弧に沿って形成した複数の貫通孔とを形成する一方、前記支持枠側面には、前記円弧状スリットに係合する案内部材を突設または装着するとともに、前記可動枠の回動時に前記貫通孔が通過する位置に係止部材装着部を設け、前記貫通孔を挿通して該係止部材装着部に係止部材を装着して可動枠を係止固定する構成とした、請求項１または２に記載の展示物展示用ラック。
【請求項４】
前記架台が、下端部にキャスターを備え移動可能な構造にしてなる、請求項１から３のいずれかに記載の展示物展示用ラック。
【発明の詳細な説明】
【０００１】
【発明の属する技術分野】
本発明は、板状および薄型箱状の物などを展示するためのラックの技術に係わり、更に詳しくは、展示物を支持するためのほぼ矩形の上下１対の枠体の互いの一辺を回動可能に連結してなる可動枠を、前記上下枠体が互いの連結部を支点としてそれぞれ前方に揺動可能なるように架台に支持するとともに、各枠体の前後傾斜角度を個別に調整して固定可能に構成した展示物用ラックの構造に関する。
【０００２】
【従来の技術】
見本市などの展示会場や博覧会場或いは店舗の商品陳列スペースといったところでは、沢山の大型パネル展示物または薄型ディスプレーなど板状および薄型箱状の展示物や商品を限られた面積のブースの壁面に吊り下げたり壁面に沿った棚に設置したりして展示する。パネル展示においては、関連する写真画などを隣接して展示したり、大型の写真や広告などを複数に分割して密接配置で展示する場合もある。しかし、展示物が大きくなるにつれ全体に人の目線が行き渡りにくいといった問題がある。一方、展示会場などでは、多数の小型ディスプレーを縦横に密接配置して構成したマルチディスプレイシステムを用いＰＲ用画像を放映する従来の方式に代えて、近年は大型フラットディスプレイを２台または４台でＰＲ用の画像を放映する方式に移行されつつある。複数ディスプレーで画像放映する場合、個々のディスプレイにそれぞれ個別の画像を映し出す場合と画像を個々のディスプレーに分割して全体で１画像を構成して映し出す場合とがある。このような大型展示パネルや大型フラットディスプレイの映像に対し人がその全体に目を配るには離れた高所に展示または掲示する必要がある。しかし、狭い展示会場のブースや店舗などでは十分なスペースの確保が困難である。また例えば、店舗でフラットディスプレイを商品見本として展示する場合、デモンストレーション用映像の見やすさのほか、客が商品に近づいて複数の機種を比較する事も配慮する必要がある。店舗ではスペースが狭く且つ天井の高さも限られているなどの制約から、各展示物の正面がすべて客の目の位置に向くような角度で且つ商品に近づいて見るにも都合のよい配置で展示することは困難が伴う。
【０００３】
一方、フラットディスプレイ用の架台装置の公知例としては、上下方向へ所定間隔毎に複数の係止孔を形成した一対の支柱を左右両側に間隔を隔てて立設し、この支柱の上下に上部支持金具と下部支持金具とをそれぞれ係止孔を利用して取付け、フラットディスプレイの下端を下部支持金具に載支し、上部背面を上部支持金具にネジ止め固定し、下部支持金具は左右の下ブラケット間にフラットディスプレイの下端を載支する受部材を渡設し、上部支持金具は左右の上ブラケット間に剛性のある支持部材を渡設し且つ支持部材にフラットディスプレイをネジ止めするための前後貫通した取付孔を単数または複数形成して構成した形態のものが知られている（例えば、特許文献１参照）。
【０００４】
この従来のフラットディスプレイ用の架台装置は、例えばプレゼンテーションなどに用い、ディスプレイの前傾角度を調整する手段を有するがディスプレイの載支位置が高く、しかも単一のディスプレイを載支するためのものであり、例えばフラットディスプレイを含む複数の板状展示物を展示し且つ個々の展示物を目線の位置に合わせて個別に角度調節して展示するといった機能は備えていない。
【０００５】
【特許文献１】
特開２００１−３１２２１９号公報（第１頁、第５〜６頁、図１、および図３など）
【０００６】
【発明が解決しようとする課題】
前述の状況に鑑み本発明が解決しようとするところは、展示パネルやフラットディスプレイを含む板状および薄型箱状の各種展示物を、上下２段または上下２段且つ左右複数列に設置でき、展示物を床面に近い低位置で支持しても個々の展示物の正面を人の目の位置に向けることができるように個別に展示物の角度を調整する機能を備え、且つ、展示物支持枠には展示物に応じた支持部材を脱着可能に取り付けて汎用性のある展示物展示用ラックを提供する事にある。そして本発明が解決しようとする他の課題は、上記の展示物展示用ラックを、設置場所に合わせ、自在に移動して模様替えが容易に行え且つ横列配置に多数配置もできるよう構成にした展示物展示用ラックを提供することにある。
【０００７】
【課題を解決するための手段】
前述の課題解決のため、本発明の展示物展示用ラックは、上下に支持部を有し且つ前記上方支持部が下方支持部よりも後方に位置するように形成された自立型の架台と、該架台の前記上下支持部に支持される支持枠と、ほぼ矩形の上下１対の枠体を回動可能に互いの一辺を連結するとともに該各枠体が前記連結部を中心に前方に回動可能に前記支持枠に支持されてなる可動枠とを有し、前記支持枠と可動枠の少なくとも１組以上を左右並列配置にして前記架台に支持する一方、前記可動枠の各枠体には、展示物支持部材の装着部を複数設け、且つ、前記連結側の端部から各枠体に沿って上下に離隔した各々の背後側に、枠体の傾斜角度を調整して係止する傾斜角度調整手段をそれぞれ個別に設けて構成する。
【０００８】
前記の展示物展示用ラックにおいては、前記自立型の架台の前記上下支持部のうち下方支持部が、前記架台に一体の前後方向部材に沿って前後動可能に支持され、該下方支持部の上方支持部との相対的な前後間の距離を変更可能に構成すると都合がよい。また、可動枠の各枠体の傾斜角度調整手段については、前記各枠体に枠体前面と直交する後方に向け傾斜角度調整板を突設するとともに、前記支持枠の側面が前記傾斜角度調整板の側面に近接する関係に設定し、前記傾斜角度調整板には、前記枠体連結軸を中心とする円に沿って両端が閉じた円弧状スリットと、該スリットの円弧と同心の円弧に沿って形成した複数の貫通孔とを形成する一方、前記支持枠側面には、前記円弧状スリットに係合する案内部材を突設または装着するとともに、前記可動枠の回動時に前記貫通孔が通過する位置に係止部材装着部を設け、前記貫通孔を挿通して該係止部材装着部に係止部材を装着して可動枠を係止固定する構成にすると好都合である。これにより、各上下或いは上下左右の展示物支持枠をそれぞれ個別に角度調整と揺動防止を行う機能を、簡単な機構で且つ低コストで備えさせることができる。
【０００９】
更に、架台の下端部にキャスターを備えると、各種展示物に応じた展示方法が可能となるのみならず、容易に移動可能となるので、配置替えや模様替えや展示物の入れ替えなどの作業にも都合がよい。
【００１０】
【発明の実施の形態】
つぎに本発明の実施の形態を添付図面に基づき詳細に説明するが、本発明は、添付図面に示された形態に限定されず特許請求の範囲に記載の要件を満たす実施形態の全てを含むものである。図１は、本発明に係る展示物展示用ラックの実施例を示し、展示物を支持する支持部材を取り付けない状態で斜め前方から見た全体の斜視図で、図３には側面を示す。図３において、可動枠を前方に傾斜させた状態を２点鎖線で示している。図２には架台を斜視図で示し、図４には支持枠に可動枠を組み付けた状態を示す。図５は可動枠、図６は支持枠をそれぞれ斜視図で示している。図１０は、上記展示物展示用ラックの可動枠に形成した支持部材装着穴に装着するメッシュボードの斜視図、図１１は、同じく支持部材装着穴に装着して棚板を支持するためのブラケットの側面図である。そして図７には、支持枠をほぼ垂直に近づけて架台に支持し、展示物支持用の棚板を可動枠の各枠体に対しそれぞれ直交方向に取り付けた状態を示し、また図８には、支持枠を傾斜させて架台に支持し、可動枠に展示物支持用の棚板を水平姿勢で取り付けた状態を示す。
【００１１】
図において、本発明に係る展示物展示用ラック１は、移動可能な自立型の架台２と、架台２に上端側が後方に傾斜する姿勢で支持される左右１対の支持枠１０，１０と、支持枠１０よりも幅の広い上下１対の矩形の枠体１６，１６の互いの一辺を回動可能に蝶番１７等の連結部材で連結するとともに、この連結部を支持枠１０の前面に当接させて蝶番１７の連結軸１８を中心に上下枠体１６，１６が互いに個別に前方に回動可能に支持枠１０で支持した左右１対の可動枠１５，１５とを有する。そして、各可動枠１５，１５には、各上下枠体１６，１６の平行な左右両側部に沿って上下方向に展示物支持用棚板支持用ブラケット２５などの支持部材装着穴１９を複数個ほぼ等間隔で設けるとともに、左右両端近傍には、傾斜角度調整板２０を枠体１６の前面と直交する後方に向けて突設する。
【００１２】
傾斜角度調整板２０は、支持枠１０の側面に近接する関係位置に設定し、傾斜角度調整板２０には、枠体１６，１６を連結する蝶番１７の連結軸１８を中心とする円弧に沿って両端が閉じた円弧状スリット２１を形成し、且つ、円弧状スリット２１の近傍に円弧状スリット２１と同心の円弧に沿って複数の貫通孔２２をほぼ等間隔で形成する。一方、支持枠１０の側面には、円弧状スリット２１に係合する案内部材１１を突設または装着するとともに、可動枠１５の回動時に前記貫通孔２２が通過する位置にネジ孔１２を設け、貫通孔２２を挿通して該ネジ孔１２に係止ネジ１３を装着可能にする。これによって、前記案内部材１１および可動枠１５の枠体１６，１６の連結部を支持枠１０が当接支持する作用とにより、枠体１６，１６が蝶番１７の連結軸１８を中心としてそれぞれ前方への傾斜が可能になるとともに、係止ネジ１３を装着すると各枠体１６の前後揺動を個別に固定することができる。
【００１３】
つぎに、上記展示物展示用ラック１の各部構造を以下に順次詳細に説明する。まず架台２の構造について説明する。架台２は、主要部材はそれぞれパイプ部材を用いて構成され、下部水平部材３ａの両端に脚部材３，３の中間部を略Ｔ字状の２つ割り形連結具６，６（詳細構造は後述の説明参照）で下部水平部材３ａと直交する前後方向に連結し、下部水平部材３ａの両端近傍と中間部の３箇所に垂直の支柱３ｂ，３ｂ，３ｂを連結具６で連結し、更に支柱３ｂの上端部には上部水平部材（上方支持部材ともいう）３ｃを略Ｔ字状の２つ割り形連結具６で連結して自立型のフレームを形成する。そして、下部水平部材３ａ連結部よりも前方の脚部材３，３には、脚部材３に嵌合して前後にスライド可能に支持する略Ｔ字状の２つ割り形スライド連結具６ａ，６ａ（詳細構造は後述の説明参照）を両端に装着した下方支持部材４を装着する。なお脚部材３，３それぞれの前後端には、それぞれ２つ割り形などのキャスター取付具６ｂを介してキャスター７を取り付ける。但し、本発明に係る展示物展示用ラックは、架台にキャスター７を設けた移動式にするほか、キャスターを設けない場合も含む。架台２の構成部材は、パイプ材に限らず適宜の形状の部材で形成してよい。また架台２の構成部材の材料は、樹脂製、金属製、木質系など適宜の材質を用いて構成することが可能で、重量物の展示用には金属製などの剛性に富む材料を用いる。
【００１４】
連結具６とスライド連結具６ａとは同形状部材であり、図９にその基本的な構造形態を示す。図９はスライド連結具６ａの部分を示している。略Ｔ字状のスライド連結具６ａ（および連結具６）は、図示の如くパイプ材把持部がそれぞれ略Ｔ字状に形成されるとともに、パイプ中心方向に沿って２分割されている。従って架台２などのパイプ構造物を組み立てる場合は、パイプ材や軸部材などを両側から挟持させてネジで締め付けて把持し、且つ一方の把持部はパイプ材の適宜の位置を把持するのに適した構造である。略Ｔ字状のスライド連結具６ａは、パイプ把持部に沿う中心で２分割形成された各々の分割片３５，３５からなり、一方のパイプ把持部３６に水平の下方支持部材４の端部を且つ他方のパイプ把持部３７に水平（図９では垂直）の脚部材３をの中間部をそれぞれ挟持するとともに、分割片３５，３５同士を２本のネジ３８，３８で締め付けて一体化して組み立てる。下方支持部材４の位置を調整する際はネジ３８，３８を弛めて脚部材３の把持力を弛めて脚部材３に沿って前後にスライドさせ、適宜の位置でネジ３８，３８を締め付けて固定する。連結具６として用いる場合も同様の要領でパイプ材同士を連結する。なお、展示物展示用ラックの架台は、この連結具６ａ（，６）を用いて組み立てる以外にも、部材の種類と形状と材質とに応じ適宜の形態の連結具を用いてよく、或いは、溶接または溶着など適宜の方法も採用してもよい。
【００１５】
以上の構成からなる架台２は、床面に自立するとともに、手で押して移動が可能である。そして、下方支持部材４を前後に移動すると、下方支持部材４と上方支持部材３ｃとの前後方向の水平距離を変更することができる。即ち、下方支持部材４と上方支持部材３ｃとを結ぶ直線の後方傾斜角度を適宜変更し、固定ネジ５で下方支持部材３ｃを係止固定させることもできる。なお、架台２を構成する各部材の配置については、上記に限らず、上記のような機能を備えた他の適宜の形態としてもよい。また、本発明に係る展示物展示用ラックは、架台２の下方支持部材４に関し、上記説明のように前後に移動調整可能にするほか、固定した形態も含まれる。
【００１６】
つぎに、支持枠１０の構造について説明する。支持枠１０は、矩形の枠部材１０ａと、枠部材１０ａの上端に固設した１対の把持部材１４，１４と、枠部材１０ａの下端に上下進退可能に装着した１対の伸縮把持部材１４ａ，１４ａとを有する。そして、枠部材１０ａ左右側面の上下各端部近傍には、後述の可動枠１５の傾斜角度調整板２０の円弧状スリット２１に係合して傾斜角度調整板２０の回動を案内する案内部材１１をそれぞれ突設するとともに、案内部材１１近傍の枠部材１０ａの端部寄りに設けたネジ孔には、後述の傾斜角度調整板２０の円弧状スリット２１近傍に形成した貫通孔２２に係合する係止ネジ１３を脱着可能に装着する。上記の把持部材１４と伸縮把持部材１４ａとには、それぞれの端部に水平の筒状部を設けており、この筒状部を架台２の上方支持部材３ｃおよび下方支持部材４にそれぞれ嵌合させて支持枠１０を支持する。把持部材１４と伸縮把持部材１４ａとは、それぞれ前述のスライド連結具６ａと同形状の部材を枠部材１０ａの上下に取り付けて構成してもよい。また、枠体１０ａは、後述の可動枠１５の傾斜角度調整板２０に近接する横幅に設定するが、これとは別に、案内部材１１および係止ネジ１３の取付部を側方に張り出させ、その張り出した端面が傾斜角度調整板２０に近接するような形態にしてもよい。
【００１７】
上記において、案内部材１１はピンまたはボルトを枠部材１０ａに装着した構成とするほか、円弧状スリット２１の内外周に沿う円弧部を有する部材を枠部材１０ａに突設または装着して構成するなど適宜の形態にしてよい。係止ネジ１３は、単純なピンに代えてもよいし、傾斜角度調整板２０を枠部材１０ａの側端部に押し当てて摩擦力で支持したりする構造或いは把持機能を有する部材で傾斜角度調整板２０の端縁部を把持する形態にしてもよい。また、架台２の下方支持部材４を固定式にした場合は、支持枠１０の下端伸縮把持部材１４ａは上端把持部材１４と同じ非伸縮式でもよい。
【００１８】
つぎに、可動枠１５の構造について説明する。可動枠１５は、支持枠１０の枠部材１０ａよりも横幅が若干広いほぼ矩形の枠体１６の１対を上下配置にして互いの対面する端部の辺を蝶番１７で連結し、上下枠体１６，１６が蝶番１７の連結軸１８を中心に互いに前方に回動可能に構成する。そして、各枠体１６，１６それぞれの左右端には展示物支持用の支持部材装着穴１９を端部に沿ってほぼ等間隔で複数設ける。また、各枠体１６には、蝶番１７の連結軸１８からそれぞれほぼ等しい距離離隔した箇所の左右側端部に、枠体１６の前面と直交方向に後方に向け突出する傾斜角度調整板２０、２０をそれぞれ設ける。そして各傾斜角度調整板２０には、蝶番１７の連結軸１８を中心とする円に沿って両端が閉じた円弧状スリット２１をそれぞれ形成するとともに、円弧状スリット２１の近傍には円弧状スリット２１の円弧と同心の円弧に沿ってほぼ等間隔に複数個の貫通孔２２をそれぞれ設ける。
【００１９】
上下１対の枠体１６，１６を回動可能に連結する連結部材は、上記の蝶番１７に限定せず、適宜の部材を組み合わせて枠体１６，１６が個別に前方回動可能に連結する機構を構成すればよい。また、傾斜角度調整板の外郭形状は図示の形状に限定せず、例えば円弧状の板に円弧状スリットと貫通孔を形成するなど適宜の形状でよい。また、円弧状スリット２１に沿って形成する貫通孔２２は、貫通孔に限定せず、傾斜角度調整板の端縁部を円弧状に形成してその端縁部に係止ネジ１３が係合する適宜の数の凹部を形成した構成としてもよい。
【００２０】
つぎに、上記構成からなる展示物展示用ラック１の作用を説明する。架台２の上方支持部材３ｃと下方支持部材４とに亘って把持部材１４，１４ａで連結支持された支持枠１０に、その前面に沿う様にして枠体１６，１６が上下配置の姿勢になるように可動枠１５を載せ、各枠体１６の傾斜角度調整板２０，２０の円弧状スリット２１を支持枠１０の案内部材１１にそれぞれ係合させて支持する。この状態では、可動枠１５は、蝶番１７の連結軸１８を中心として、上下１対の枠体１６，１６の上段枠体の上端側および下段枠体の下端側が個別に前方に回動して傾斜角度を変更できる。その際には、枠体１６の背面の連結端部分が支持枠１０の前面に当接支持された状態で枠体１６が回動する。このようにして所望の傾斜角度にした後、傾斜角度調整板２０の貫通孔２２のうち、支持枠１０の係止ネジ１３のネジ孔に最も近い貫通孔２２をそのネジ孔に一致させて係止ネジ１３を装着して傾斜角度を固定する。同様にして他の枠体１６の傾斜角を調整する。なお、この作業の前に下方支持部材４を前後移動して支持枠１０の傾斜角度を調整しておく。この際、下方把持部材１４ａと枠部材１０ａとの伸縮部は、支持枠１０の傾斜角度調整後に固定ネジ５など適宜の固定手段で固定するが、伸縮把持部材１４ａとして前述のスライド連結具６ａと同構造の部材を用いた場合は、傾斜角度調整後にネジ３８，３８（図９参照）を締め付けて固定する。
【００２１】
つぎに、可動枠１５の各枠体１６左右端の支持部材装着穴１９の適宜のレベルに、図１１に例示するような基端にフック２６を突出形成したＬ字形のブラケット２５のフック２６部を挿入してブラケット２５を装着支持し、ブラケット２５の上部に適宜の形状の棚板２７（図７，８参照）を亘らせて固定する。そして必要な場合棚板２７の支持部よりも上方の支持部材装着穴１９に板状または棒状の部材の両端にフックを取り付けた背面支持部材（図示しない）を装着する。これによって棚板２７に展示物を載置して背後を前記背面支持部材で支持することができる。
【００２２】
ブラケット２５のフック２６は、図示のように下方が開口する鉤型切欠を奥行き方向に複数配列した形に形成されており、この切欠の適宜の箇所を支持部材装着穴１９に掛けることでブラケット２５の取付角度の調整が可能である。従って、支持枠１０や可動枠１５の枠体１６の傾きを変えたり、或いはブラケット２５で支持される棚板２７を可動枠１５の枠体１５に対し直角方向に取り付けてフラットディスプレイを支持してその正面の角度を適宜調整したり、また、棚板２７を水平姿勢に取り付けたりすることもできる。図７には、支持枠１０をほぼ垂直に近づけて架台２に支持し、棚板２７を可動枠１５の各枠体１６に対しそれぞれ直交方向に取り付けた状態を例示し、また図８には、支持枠１０を傾斜させて架台２に支持し、可動枠１５に棚板２７を水平姿勢で取り付けた状態を例示している。
【００２３】
一方、可動枠１５の各枠体１６左右端の支持部材装着穴１９には、図１０に例示するような背面にフック３２を突出形成した平板状のメッシュボード３０或いは同様の形態のホワイトボード（図示しない）を装着してもよい。メッシュボード３０には、フック装着穴３１が多数貫通形成され、このフック装着穴３１には、小物の展示物を吊り下げたり展示パネルを引っ掛けて展示することができる。また、図示しない鉄板などの材料を用いたホワイトボードを装着した場合、紙製など軽量の展示物や写真やポスターなどをマグネットを用いて展示または掲示することができる。更に、可動枠１５の各枠体１６左右端の支持部材装着穴１９に専用の支持部材を装着すると、重さの重いフラット形ディスプレーなどを取り付けて展示したり見本市会場などでの映像放映などの用途にも用いることができ、多用途に利用することができる。
【００２４】
なお、可動枠１５の各枠体１６の傾斜角度は、それぞれ垂直に対し、下段枠体の下端が前方に約１５°〜約４５°の範囲、また、上段枠体の上端が後方に約１５°〜前方に約１５°の範囲で調整可能なように設定するのが都合がよい。従って、架台２の下方支持部材４は、支持枠１０がほぼ垂直から後方に１５℃以上傾斜可能に移動範囲を設定するとともに、傾斜角度調整板２０の円弧状スリット２１と貫通孔２２は可動枠１５の各枠体１６が前方に約４５℃以上傾斜可能に設定するのがよい。これにより、下段展示物を足もと近くの低位置に設置する場合でも、展示物の正面を展示物展示用ラックの前に立った人の目の方向に向けることができ、また、上段展示物を人の身長よりも高位置に設置するような場合でも、展示物の正面を展示物展示用ラックの前に立った人の目の方向に向けることができる。つまり、展示物展示用ラックを設置する場合に高さ方向の許容範囲が広がるといった作用効果がある。
【００２５】
【発明の効果】
以上にしてなる請求項１に係る発明の展示物展示用ラックは、架台に対し、上下２段に展示物支持用の枠体をそれぞれ個別に前後に傾斜角度を調整し且つ固定可能に支持するとともに、枠体には展示物支持部材用の装着部を複数設けて構成したので、展示パネルやフラットディスプレイなどの板状および薄型箱状の展示物をはじめ各種展示物を、上下２段に互いに接近させて設置するとともに、下段の展示物を床面に近い低位置に置いても個々の展示物の正面が人の目の位置に向くように角度を個別に調整し固定することができる。つまり、展示スペースを有効活用するとともに展示物を見やすい高さと角度で配置することができ、関連する展示物や商品を至近距離で観て対比する場合にも都合がよいなどといった作用効果がある。また、各枠体に設けた展示物支持部材用の装着部は、物品展示用の棚板をはじめ、上下角度調整可能な棚板支持用ブラケット、掲示板、ホワイトボード、メッシュパネル等を適宜装着する事ができるので、多用途に用いることができるといった作用効果もある。
【００２６】
上記において、個別に前後傾斜角度を調整可能な枠体を上下２段に配置して支持した支持枠を複数左右に近接して並列配置で架台に設けた構成とすると、４個以上の関連する板状および薄型箱状の展示物を互いに接近させて一括展示したり、１面の展示パネルを上下各２面または左右各２面以上に分割して展示したり、各枠体にそれぞれ個別の展示物を展示するなど、多彩に利用できる。従って可動枠と支持枠と組にしてこれを複数左右に並列配置した展示物展示用ラックは、例えば、マルチディスプレー処理装置を用いて１つの映像を２台または４台のディスプレイに分割して大画面にして映し出したり、或いはそれぞれ個別の映像を映し出すなど、宣伝や広告などの情報を多彩に提供する手段としても活用できるといった作用効果がある。
【００２７】
請求項２に係る発明の展示物展示用ラックは、支持枠支持用の架台の下方支持部が前後に移動できるため、支持枠の後方傾斜角度が調整可能となり、支持枠の傾きと可動枠の各枠体の傾きの両方を調整することにより、展示物の種類や展示場所の条件に応じ展示物を最適な角度に調整できるといった作用効果がある。
【００２８】
請求項３に係る発明の展示物展示用ラックは、可動枠の枠体の角度を調整する手段を、前記各枠体に枠体前面と直交する後方に向け傾斜角度調整板を突設するとともに、前記支持枠の側面が前記傾斜角度調整板の側面に近接する関係に設定し、前記傾斜角度調整板には、前記枠体連結軸を中心とする円に沿って両端が閉じた円弧状スリットと、該スリットの円弧と同心の円弧に沿って形成した複数の貫通孔とを形成する一方、前記支持枠側面には、前記円弧状スリットに係合する案内部材を突設または装着するとともに、前記可動枠の回動時に前記貫通孔が通過する位置に係止部材装着部を設け、前記貫通孔を挿通して該係止部材装着部に係止部材を装着して可動枠を係止固定する構成としたので、可動枠の上下各枠体の角度調整と固定とが簡単な機構と部材構成で実現でき、低価格で製作できるほか、可動枠の角度調整手段と固定手段とを構成する部材が展示物に遮られて前面に露出せず、意匠的美観を保つなどの作用効果がある。
【００２９】
請求項４に係る発明の展示物展示用ラックは、架台にキャスターを設けたので展示物を支持した状態で該ラックを、設置場所に合わせ自在に移動して目的の場所に設置することができ、模様替えも容易で且つ横列配置に多数配置したり適宜の形態に配置調整することが容易にできるといった作用効果がある。
【図面の簡単な説明】
【図１】本発明に係る展示物展示用ラックの実施例の図で、展示物を支持する支持部材を取り付けない状態で斜め前方から見た全体の斜視図である。
【図２】図１の展示物展示用ラックのうち、架台の斜視図である。
【図３】図１の展示物展示用ラックの側面図で、２点鎖線の図は可動枠を前方に傾斜させた状態を示している。
【図４】図１の展示物展示用ラックのうち、支持枠に可動枠を組み付けた状態の斜視図である。
【図５】図１の展示物展示用ラックのうち、可動枠の斜視図である。
【図６】図１の展示物展示用ラックのうち、支持枠の斜視図である。
【図７】支持枠をほぼ垂直に近づけて架台に支持し、展示物支持用の棚板を可動枠の各枠体に対しそれぞれ直交方向に取り付けた状態を示す図である。
【図８】支持枠を傾斜させて架台に支持し、可動枠に展示物支持用の棚板を水平姿勢で取り付けた状態を示す図である。
【図９】略Ｔ字状連結具の構造とその連結具をキャスター装着用に用いる場合を例示する図である。
【図１０】可動枠に装着するメッシュボードの斜視図である。
【図１１】可動枠に装着する棚板支持用のブラケットの側面図である。
【符号の説明】
１  展示物展示用ラック（ラック）
２  架台
３  脚部材
３ａ  下部水平部材
３ｂ  支柱
３ｃ  上部水平部材（上方支持部材）
４  下方支持部材
５  固定ネジ
６  連結具
６ａ  スライド連結具
６ｂ    キャスター取付具
７  キャスター
１０  支持枠
１０ａ  枠部材
１１  案内部材
１２  係止部材装着部（ネジ孔）
１３  係止ネジ
１４  把持部材
１４ａ  伸縮把持部材
１５  可動枠
１６  枠体
１７  連結部材（蝶番）
１８  連結軸
１９  支持部材装着穴
２０  傾斜角度調整板
２１  円弧状スリット
２２  貫通孔
２５  ブラケット
２６    フック
２７  棚板
３０  メッシュボード
３１  フック装着穴
３２  フック
３５  分割片
３６，３７  パイプ把持部
３８  ネジ
【図１】
2004302149.tif 000003
【図２】
2004302149.tif 000004
【図３】
2004302149.tif 000005
【図４】
2004302149.tif 000006
【図５】
2004302149.tif 000007
【図６】
2004302149.tif 000008
【図７】
2004302149.tif 000009
【図８】
2004302149.tif 000010
【図９】
2004302149.tif 000011
【図１０】
2004302149.tif 000012
【図１１】
2004302149.tif 000013